【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
対話型ディスプレイの画面に位置する液晶表示（ＬＣＤ）パネルの実質的に一様な照明を提供し、それにより前記ＬＣＤパネルは一様に照射され、前記画面に対するユーザーの視角にかかわらず、かつ特定の角度から前記対話型ディスプレイを見るときに前記ＬＣＤパネル内の暗くなった領域を前記ユーザーに認識させる視差の効果なしに、前記ＬＣＤパネルの画像の出力が均一に明るくされてユーザーに見えるようにし、かつ前記対話型ディスプレイの画面のユーザー・インターフェイス層に接触しまたは極めて近接している物体を検出するための方法であって、
（ａ）前記対話型ディスプレイの画面が複数の実質的に異なる視角から見られたときに前記ＬＣＤパネルの照明および前記対話型ディスプレイの対応する画面の照明が実質的に一様になるように、照明システムから放射されかつ拡散された可視光により前記対話型ディスプレイのＬＣＤパネルを照射するステップであって、前記照射システムは、実質的に一様な方法で可視光により前記ＬＣＤパネルを照射するために使用され、
可視光源および光ガイド層を含む光ガイド・アセンブリであって、前記光ガイド層は前記可視光源に直接結合され、前記可視光源から放射された光を導くように構成された光ガイド・アセンブリと、
前記光ガイド・アセンブリから放射された可視光を調整し、前記ＬＣＤパネルを効果的に照射するために、拡散された光を前記ＬＣＤパネルに送るように構成された１または複数の光拡散層またはコリメータ・レンズを含む拡散層と、
バックプレーン層と
を備え、
少なくとも前記光ガイド層の物理材料は前記拡散層と前記バックプレーン層との間に置かれ、前記光ガイド・アセンブリは前記拡散層および前記バックプレーン層の両方に物理的に直接接触して位置し、
前記ＬＣＤパネルの照明用可視光は、
前記可視光源が前記光ガイド層を生成された可視光により照射し、
前記バックプレーン層が前記生成された可視光の部分を、前記バックプレーン層から実質的に反射し、前記拡散光に向かって前記光ガイド層に戻し、
前記１または複数の光拡散層またはコリメータ・レンズが前記生成された可視光を調整し、前記生成された可視光が前記照明システムから離れて前記ＬＣＤパネルを照明するときに前記ＬＣＤパネルが実質的に一様に照射されるようにする、照射するステップと、
（ｂ）前記対話型ディスプレイの画面の下の物体が前記ユーザーによる視界から少なくとも部分的に隠されるように、前記対話型ディスプレイの画面において受け取られた可視光を拡散物質の層により拡散するステップと、
（ｃ）前記画面のユーザー・インターフェイス層に接触しまたは近接して配置された物体の検出に使用する不可視光により前記対話型ディスプレイの画面を照射するステップであって、前記対話型ディスプレイの画面は前記不可視光に対して実質的に透明であり、その結果前記対話型ディスプレイの画面を通過し、前記画面のユーザー・インターフェイス層に接触しまたは近接した物体から反射して前記対話型ディスプレイ内へ戻った反射不可視光が検出される、照射するステップと
を備えることを特徴とする方法。
【請求項２】
ユーザー・インターフェイス面に近接して配置された物体の検出を提供し、同時に液晶表示（ＬＣＤ）パネルの可視光により均一な照明を提供し、前記ＬＣＤパネルの画像の出力が一様に照射され、視差の結果発生する暗い領域を認識することなく、複数の視角からユーザーにより見えるようにした対話型ディスプレイ・システムであって、
対話型ディスプレイの筐体と、
前記対話型ディスプレイ・システムの画面の部分であり、前記画面の下にあって見えることを意図していない前記対話型ディスプレイ・システムの部品を前記ユーザーの視界から隠す第１の光拡散層と、
前記対話型ディスプレイ・システムの画面の部分である液晶表示（ＬＣＤ）パネルと、
前記ＬＣＤパネルの可視光により均一な照明を生成する照明システムであって、前記照明システムの各部品は前記照明システムの少なくとも１つの他の部品と直接結合し、
可視光源および光ガイド層を含む光ガイド・アセンブリであって、前記光ガイド層は前記可視光源に直接結合され、前記可視光源から放射された光を導くように構成された光ガイド・アセンブリと、
前記光ガイド・アセンブリから放射された可視光を調整し、前記ＬＣＤパネルを効果的に照射するために拡散された光を前記ＬＣＤパネルに送るように構成された１または複数の光拡散層またはコリメータ・レンズを含む第２の拡散層と、
バックプレーン層と
を備え、
少なくとも前記光ガイド層の物理的材料は前記第２の拡散層と前記バックプレーン層との間に置かれ、前記光ガイド・アセンブリは前記バックプレーン層および前記第２の拡散層の両方に物理的に直接接触して位置する照明システムと、
物体を照射する不可視光照明システムであって、前記不可視光照明システムから前記対話型ディスプレイ・システムの画面を通過した不可視光により前記ユーザー・インターフェイス面に近接する物体を照射する不可視光照明システムと、
前記ユーザー・インターフェイス面に近接する物体から反射し前記対話型ディスプレイ・システムの画面を通過して戻された不可視光を検出するセンサと
を備えたことを特徴とする対話型ディスプレイ・システム。
【請求項３】
前記照明システムの第２の拡散層は、前記ＬＣＤパネルに対する均一な照明を提供するため、前記光ガイドから放射された可視光を調整するように構成されたフレネル・レンズであることを特徴とする請求項２に記載の対話型ディスプレイ・システム。
【請求項４】
前記光ガイド層はアクリル板を含み、前記可視光源は、前記光源から放射された光が前記アクリル板によりガイドされるように、前記アクリル板の光ガイド層の端部に沿って配置された蛍光管またはＬＥＤの少なくとも１つを含むことを特徴とする請求項２に記載の対話型ディスプレイ・システム。
【請求項５】
前記照明システムは前記ＬＣＤパネルに直ぐ近接して配置されていることを特徴とする請求項２に記載の対話型ディスプレイ・システム。
【請求項６】
前記照明システムは前記ＬＣＤパネルから実質的に相隔たっていることを特徴とする請求項２に記載の対話型ディスプレイ・システム。
【請求項７】
前記照明システムの主たる部分の面領域は前記照明システムの最上位層の面領域を含み、前記照明システムの主たる部分の面領域は前記ＬＣＤパネルの面領域より実質的に大きく、前記ＬＣＤパネルの照明は、ユーザーにより複数の視角から見たときに実質的に一様であることを特徴とする請求項６に記載の対話型ディスプレイ・システム。
【請求項８】
前記照明システムは、可視光を反射し、該照明システムの主たる部分に対して垂直に配置され、前記主たる部分から前記ユーザー・インターフェイス面に向かって伸びる側面部分をさらに含み、それによりユーザーにより複数の視角から見たときに前記ＬＣＤパネルの照明が実質的に一様であることを特徴とする請求項６に記載の対話型ディスプレイ・システム。
【請求項９】
前記照明システムの主たる部分は実質的に曲線をなし、連続する面が前記主たる部分の中心部分から前記ユーザー・インターフェイス面に向かって伸びて形成され、それによりユーザーにより複数の視角から見られたときに、前記ＬＣＤパネルの照明が実質的に一様になるように、前記ＬＣＤパネルおよびユーザー・インターフェイス面により閉じた照明システムを形成することを特徴とする請求項６に記載の対話型ディスプレイ・システム。
【請求項１０】
前記照明システムは、前記照明システムの主たる部分に対して実質的に垂直に配置され、前記ＬＣＤパネルにより閉じた照明システムを形成するために該照明システムの主たる部分から前記対話型ディスプレイ・システムの画面に向かって伸びる照射された側面部分をさらに含み、その結果ユーザーにより複数の視角から見られたときに、前記ＬＣＤパネルの照明は実質的に一様であり、前記照射された側面部分は前記照明システムの主たる部分と同様の構成であり、前記照明された側面部分の各々は、前記第２の拡散層と反射型バックプレーンとを含む前記光ガイド・アセンブリを含むことを特徴とする請求項６に記載の対話型ディスプレイ・システム。
【請求項１１】
前記不可視光照明システムは、前記対話型ディスプレイの面を赤外照射するために前記対話型ディスプレイの筐体内に配置された複数の赤外光源を含み、不可視光を検出する前記センサは赤外照射に感受性のあるデジタルカメラを含むことを特徴とする請求項２に記載の対話型ディスプレイ・システム。
【請求項１２】
前記照明システムは前記ＬＣＤパネルに直ぐ近接して結合され、
前記光ガイド・アセンブリは可視光により前記光ガイド層の少なくとも一端を照射するために構成された前記可視光源を有し、
前記第２の拡散層は少なくとも１つのフレネル・レンズおよび少なくとも１つの拡散器を含み、
前記バックプレーンは前記反射された不可視光をコールド・ミラーを介して通過させるために具体的に構成され、前記不可視光は前記物体から前記センサに向けて反射される一方、前記光ガイド・アセンブリにより生成された可視光を前記センサから反射させることを特徴とする請求項５に記載の対話型ディスプレイ・システム。
【請求項１３】
前記第１拡散層は前記ユーザー・インターフェイス面と前記液晶表示（ＬＣＤ）パネルとの間に配置されることを特徴とする請求項２に記載の対話型ディスプレイ・システム。